(57)【要約】【課題】  光拡散特性に優れ、広範囲にわたって照明することができるＬＥＤランプを提供すること。【解決手段】  複数のＬＥＤ６を備えたＬＥＤランプ。複数のＬＥＤ６は発光波長の異なる複数種のものを含み、複数種のＬＥＤ６の少なくとも一部の光軸は第１の方向に延び、複数種のＬＥＤ６の残部の少なくとも一部の光軸は第１方向とは異なる第２の方向に延び、複数種のＬＥＤ６の残部の残りの光軸は第１及び第２の方向とは異なる第３の方向に延びている。また、複数種のＬＥＤ６は、暗所での人間の目の感度が大きい緑色発光波長のものと、この緑色発光波長を補色する黄色発光波長のものとを含んでいる。【選択図】  図２
2008311188.tif 000002
【特許請求の範囲】
【請求項１】
複数のＬＥＤを備えたＬＥＤランプにおいて、前記複数のＬＥＤは発光波長の異なる複数種のものを含み、前記複数種のＬＥＤの少なくとも一部の光軸は第１の方向に延び、前記複数種のＬＥＤの残部の少なくとも一部の光軸は前記第１方向とは異なる第２の方向に延びていることを特徴とするＬＥＤランプ。
【請求項２】
前記複数種のＬＥＤの残部の少なくとも一部の光軸は前記第１方向とは異なる第２の方向に延び、前記複数種のＬＥＤの残部の残りの光軸は前記第１及び第２の方向とは異なる第３の方向に延びていることを特徴とする請求項１に記載のＬＥＤランプ。
【請求項３】
複数のＬＥＤを備えたＬＥＤランプにおいて、前記複数のＬＥＤは発光波長の異なる複数種のものを備え、前記複数種のＬＥＤは、暗所での人間の目の感度が大きい緑色発光波長のものと、この緑色発光波長を補色する黄色発光波長のものとを含んでいることを特徴とするＬＥＤランプ。
【請求項４】
複数のＬＥＤを備えたＬＥＤランプにおいて、前記複数のＬＥＤは植物の光形態形成に有効でない５００〜６００ｎｍの波長で発光するものから構成され、前記複数種のＬＥＤの少なくとも一部の光軸は第１の方向に延び、前記複数種のＬＥＤの残部の少なくとも一部の光軸は前記第１方向とは異なる第２の方向に延びていることを特徴とするＬＥＤランプ。
【請求項５】
複数のＬＥＤを備えたＬＥＤランプにおいて、前記複数のＬＥＤは植物の光形態形成に有効である４００〜４９０ｎｍ及び／又は６１０〜６８０ｎｍの波長で発光するものから構成され、前記複数種のＬＥＤの少なくとも一部の光軸は第１の方向に延び、前記複数種のＬＥＤの残部の少なくとも一部の光軸は前記第１方向とは異なる第２の方向に延びていることを特徴とするＬＥＤランプ。
【請求項６】
複数のＥＬＤを備えたＬＥＤランプにおいて、前記複数のＬＥＤは、植物の光形態形成に有効でない５００〜６００ｎｍの波長で発光するものと、植物の光形態形成に有効である４００〜４９０ｎｍ及び／又は６１０〜６８０ｎｍの波長で発光するものとから構成されていることを特徴とするＬＥＤランプ。
【発明の詳細な説明】
【技術分野】
【０００１】
本発明は、複数の発光ダイオード（以下、「ＬＥＤ」という）を備えたＬＥＤランプに関する。
【背景技術】
【０００２】
近年、地球温暖化を抑制するために、二酸化炭素の排出量の削減が世界の環境問題の大きなテーマの一つとなっている。この二酸化炭素の排出量は電力の使用量と比例関係にあり、電力の使用量が多くなるとそれに比例して二酸化炭素の排出量も多くなる。
【０００３】
このような背景により、消費電力が少ない照明ランプとして、ＬＥＤを利用したＬＥＤランプが提案されている（例えば、特許文献１、特許文献２参照）。このＬＥＤランプは、中空円筒状のランプ本体を備え、このランプ本体内にＬＥＤ基板が装着され、かかるＬＥＤ基板に間隔をおいて複数のＬＥＤが実装されとともに、複数のＬＥＤを点灯するための点灯回路が実装される。また、ランプ本体の両端部には端子部が設けられ、これら端子部が蛍光灯ソケットに着脱自在に装着され、蛍光灯ソケットから端子部を介して供給される電力が点灯回路を通して複数のＬＥＤに送給され、かく供給される電力によって複数のＬＥＤが点灯される。
【特許文献１】特開２００１−３５１４０２号公報
【特許文献２】特開２００７−１２３２２号公報
【発明の開示】
【発明が解決しようとする課題】
【０００４】
しかしながら、従来のＬＥＤランプには、次の通りの解決すべき問題がある。第１に、蛍光灯ランプはランプ全体が発光するので光が周囲に拡散し、光拡散特性が優れているのに対し、ＬＥＤランプのＬＥＤとしてレンズ付きＬＥＤを用いた場合、レンズによって光の拡散が抑制されるので、ＬＥＤの発光角度が狭く、光拡散特性が悪くなる問題がある。それ故に、蛍光灯ランプに代えてＬＥＤランプを用いようとすると、光拡散特性が悪く、周囲を明るく照明することが難しくなる。
【０００５】
第２に、照明用ランプとして蛍光灯などの白色ランプを用いた場合、その光の波長は約４００〜７００ｎｍの範囲にてほぼ一定となる。一般に、夜間照明下における人間の視覚は、緑色光及び黄色光に対する感度が高いことが知られており、夜間照明（例えば、防犯灯）として白色ランプを用いたときには、視覚感度の低い光成分を多く含む故に、照明光の利用効率が悪くなり、照明光を白色にするということは視覚感度の面からすれば電力を無駄に消費することになる。
【０００６】
第３に、照明用ランプとして白色ランプを例えば防犯灯などに用いた場合、蛍光灯ランプからの白色光が植物などに様々な悪影響を与えることが知られている。例えば、短日植物の稲では、防犯灯などの夜間照明によって出穂遅延が生じ、その影響が最も強く現れるのは、出穂前の２０〜４０日の期間であると言われている。また、ほうれん草では、光に敏感な性質を有しいる故に、夜間照明に晒されると早々に「トウ」が立ち、その商品価値を失ってしまう。
【０００７】
本発明の第１の目的は、光拡散特性に優れ、広範囲にわたって照明することができるＬＥＤランプを提供することである。
【０００８】
また、本発明の第２の目的は、人間の視覚感度に適合した光を発光し、夜間照明の光の利用効率を高めることができるＬＥＤランプを提供することである。
【０００９】
更に、本発明の第３の目的は、照明光による植物への悪影響を抑えることができるＬＥＤランプを提供することである。
【課題を解決するための手段】
【００１０】
本発明の請求項１に記載のＬＥＤランプでは、複数のＬＥＤは発光波長の異なる複数種のものを含み、複数種のＬＥＤの少なくとも一部の光軸は第１の方向に延び、複数種のＬＥＤの残部の少なくとも一部の光軸は第１方向とは異なる第２の方向に延びていることを特徴とする。
【００１１】
また、本発明の請求項２に記載のＬＥＤランプでは、複数種のＬＥＤの残部の少なくとも一部の光軸は第１方向とは異なる第２の方向に延び、複数種のＬＥＤの残部の残りの光軸は第１及び第２の方向とは異なる第３の方向に延びていることを特徴とする。
【００１２】
また、本発明の請求項３に記載のＬＥＤランプでは、複数のＬＥＤは発光波長の異なる複数種のものを備え、複数種のＬＥＤは、暗所での人間の目の感度が大きい緑色発光波長のものと、この緑色発光波長を補色する黄色発光波長のものとを含んでいることを特徴とする。
【００１３】
また、本発明の請求項４に記載のＬＥＤランプでは、複数のＬＥＤは植物の光形態形成に有効でない５００〜６００ｎｍの波長で発光するものから構成され、複数種のＬＥＤの少なくとも一部の光軸は第１の方向に延び、複数種のＬＥＤの残部の少なくとも一部の光軸は第１方向とは異なる第２の方向に延びていることを特徴とする。
【００１４】
また、本発明の請求項５に記載のＬＥＤランプでは、複数のＬＥＤは植物の光形態形成に有効である４００〜４９０ｎｍ及び／又は６１０〜６８０ｎｍの波長で発光するものから構成され、複数種のＬＥＤの少なくとも一部の光軸は第１の方向に延び、複数種のＬＥＤの残部の少なくとも一部の光軸は第１方向とは異なる第２の方向に延びていることを特徴とする。
【００１５】
更に、本発明の請求項６に記載のＬＥＤランプでは、複数のＬＥＤは、植物の光形態形成に有効でない５００〜６００ｎｍの波長で発光するものと、植物の光形態形成に有効である４００〜４９０ｎｍ及び／又は６１０〜６８０ｎｍの波長で発光するものとから構成されていることを特徴とする。
【発明の効果】
【００１６】
本発明の請求項１に記載のＬＥＤランプによれば、複数のＬＥＤは発光波長の異なる複数種のものを含んでいるので、ＬＥＤランプからの光は複数種のＬＥＤの合成色となり、夜間照明用ランプ（例えば、防犯灯など）などに用いることができる。また、複数のＬＥＤの一部の光軸は第１の方向に延び、それらの残部の少なくとも一部の光軸は第２の方向に延びているので、ＬＥＤランプからの光は広範囲に広がり、従来の蛍光灯ランプに代えて夜間照明用ランプなどとして用いることができる。
【００１７】
また、本発明の請求項２に記載のＬＥＤランプによれば、複数種のＬＥＤの残部の少なくとも一部の光軸は第２の方向に延び、これらの残部の残りの光軸は第３の方向に延びているので、複数のＬＥＤの光軸は第１〜第３方向に延び、これによってＬＥＤランプの光拡散性が更に高められ、照明用ランプとして更に望ましいものとなる。例えば、配光角度が６０度のＬＥＤを用い、第１の方向が鉛直方向、第２の方向が鉛直方向に対して所定方向側に４５度の方向、また第３の方向が鉛直方向に対して所定方向と反対側に４５度の方向であるときには、ＬＥＤランプは鉛直方向を中心に両側に７５度の角度範囲（全体として１５０度の角度範囲）にわたって照射し、照明用ランプ（例えば、防犯灯）として充分な光配光性を備えたものとなる。
【００１８】
また、本発明の請求項３に記載のＬＥＤランプによれば、複数種のＬＥＤは、緑色発光波長のものと、緑色発光波長を補色する黄色発光波長のものとを含んでいるので、このＬＥＤランプは、暗所での人間の目の感度が大きくなる波長を発光し、人間の目に対して利用効率の高いものとなり、その結果、防犯灯などとして消費電力の低いＬＥＤランプを提供することができる。例えば、ＬＥＤランプのＬＥＤを緑色発光波長のものと黄色発光波長のものにすることによって、上述した作用効果を一層高めることができる。
【００１９】
また、本発明の請求項４に記載のＬＥＤランプによれば、複数のＬＥＤは植物の光形態形成に有効でない５００〜６００ｎｍの波長で発光するものから構成されているので、夜間照明として点灯させても植物に悪影響を与えることが少なく、食物の成長を阻害することが抑えられる。また、複数種のＬＥＤの少なくとも一部の光軸は第１の方向に延び、それらの残部の少なくとも一部の光軸は第２の方向に延びているので、光配光性の優れたＬＥＤランプとして提供することができる。
【００２０】
また、本発明の請求項５に記載のＬＥＤランプによれば、複数のＬＥＤは植物の光形態形成に有効である４００〜４９０ｎｍ及び／又は６１０〜６８０ｎｍの波長で発光するものから構成されているので、照明光による光合成が促進され、電照栽培用（例えば、電照菊栽培用）の照明用ランプとして好都合に適用することができる。また、光軸が第１及び第２方向に延びるＬＥＤを含んでいるので、光配光性の優れたＬＥＤランプを提供することができる。
【００２１】
更に、本発明の請求項６に記載のＬＥＤランプによれば、複数のＬＥＤは、植物の光形態形成に有効でない５００〜６００ｎｍの波長で発光するものと、植物の光形態形成に有効である４００〜４９０ｎｍ及び／又は６１０〜６８０ｎｍの波長で発光するものとから構成されているので、植物の栽培において、人工的に日照時間を長くするときには４００〜４９０ｎｍ及び／又は６１０〜６８０ｎｍの波長で発光するＬＥＤを点灯することによって植物の発育を保ちながら出荷時期の調整を図ることができ、また夜間の手入れ、出荷の準備などのときには、５００〜６００ｎｍの波長で発光するＬＥＤを点灯させることによって植物に悪影響を及ぼすことなくこれらの作業を行って出荷の調整などを行うことができる。
【発明を実施するための最良の形態】
【００２２】
以下、添付図面を参照して、本発明に従うＬＥＤランプの最良の実施形態について説明する。図１は、一実施形態のＬＥＤランプを示す正面図であり、図２は、図１におけるＡ−Ａ線による断面図であり、図３は、図１のＬＥＤランプの光配光曲線を示す図であり、図４は、ＬＥＤランプにおけるＬＥＤの配置形態を簡略的に示す図であり、図５は、ＬＥＤランプのＬＥＤの配置例を示す断面図である。
【００２３】
図１及び図２において、図示のＬＥＤランプ２は、中空円筒状の細長いランプ本体４を備え、このランプ本体４内に複数のＬＥＤ６（発光ダイオード）がその長手方向（図１において左右方向、図２において紙面に垂直な方向）に間隔をおいて配設されている。ランプ本体４は透明乃至半透明の材料、例えば透明の合成樹脂、ガラスなどから形成される。このランプ本体４の両端部には端子部８が装着され、これら端子部８は蛍光灯ソケット（図示せず）に着脱自在に取り付けられ、このＬＥＤランプ２は従来の蛍光灯器具における直管タイプの蛍光灯ランプに代えて用いられる。
【００２４】
この形態においては、ランプ本体４内には支持部材１０が取り付けられている。支持部材１０は断面が略コ字状の部材から構成され、ランプ本体４内をその長手方向にほぼ全長にわたって延びている。この支持部材１０内には細長いＬＥＤ基板１２が装着され、ＬＥＤ基板１２は支持部材１０の一端部から他端部まで延びており、このＬＥＤ基板１２の一端部に、ＬＥＤ６を点灯するための電流制御用回路１３が設けられている。
【００２５】
複数のＬＥＤ６は、ＬＥＤ基板１２に次のように配置されている。この実施形態においては、図２に示すように、複数のＬＥＤ６は三つのＬＥＤ組１４Ａ，１４Ｂ，１４Ｃから構成され、これらＬＥＤ組１４Ａ，１４Ｂ，１４Ｃは、光拡散特性を高めるために、次のように構成されている。一般に、照明用などに用いられるレンズ付きＬＥＤでは、広角型のものの配光は約６０度の拡がりがあり、その光軸（発光される光の中心軸）を中心として＋３０度〜−３０度の角度範囲にわたって光が配光され、単独のＬＥＤでは６０度程度の光拡散性しか得られないが、この形態では、複数のＬＥＤ６の光軸を複数方向にすることによって、ＬＥＤランプ２として約１５０度の光拡散特性を得ている。
【００２６】
図３をも参照して、この実施形態では、ＬＥＤ組１４ＡのＬＥＤ６は、それらの光軸が第１の方向である垂直下方（ＬＥＤランプ２を蛍光灯ソケットに所要の通りに取り付けた状態において垂直下方）に延びるようにＬＥＤ基板１２に取り付けられ、ＬＥＤ組１４ＢのＬＥＤ６は、それらの光軸が第１の方向と異なる第２の方向（上記第１の方向に対して図２及び図３において左側に４５度傾斜した方向）に延びるようにＬＥＤ基板１２に取り付けられ、またＬＥＤ組１４ＣのＬＥＤ６は、それらの光軸が第１及び第２方向と異なる第３の方向（上記第１の方向に対して図２及び図３において右側に４５度傾斜した方向）に延びるようにＬＥＤ基板１２に取り付けられている。
【００２７】
ＬＥＤ組１４Ａ，１４Ｂ，１４ＣのＬＥＤ６は、一般的なレンズ付きのＬＥＤから構成され、その配光は光軸を中心として約６０度の角度範囲となっている。このようなＬＥＤ６を用いることによって、ＬＥＤ組１４ＡのＬＥＤ６は、図２及び図３に１６Ａで示すように配光するように発光し、ＬＥＤ組１４ＢのＬＥＤ６は、図２及び図３に１６Ｂで示すように配光するように発光し、またＬＥＤ組１４ＣのＬＥＤ６は、図２及び図３に１６Ｃで示すように配光するように発光する。従って、図３に示すように、ＬＥＤ組１４Ａ，１４Ｂ，１４ＣのＬＥＤ６の合わせた光の配光、即ちＬＥＤランプ２からの光の配光は実線１８で示すようになり、ＬＥＤ組１４ＡのＬＥＤ６の光軸を中心として１５０度の角度範囲にわたって配光され、照明用ランプ、特に防犯灯用ランプとして充分な光配光特性が得られる。尚、ＬＥＤ組１４Ｂ，１４ＣのＬＥＤ６の傾斜角度を４５度に設定しているが、かかる傾斜角度を変更することによってＬＥＤランプ２の光の配光を調整することができ、上記傾斜角度を例えば３０度に設定すると、ＬＥＤランプ２の配光角度は１２０度となる。
【００２８】
上述したＬＥＤランプ２を防犯灯用、街路灯用などのランプとして適用する場合には、ＬＥＤ組１４Ａ，１４Ｂ，１４Ｃを次のように構成するのが好ましい。ＬＥＤ組１４Ａ，１４Ｂ，１４ＣのＬＥＤ６は実質上同様に構成され、この実施形態では、暗所における人間の目の感度を考慮して、次の２種類のＬＥＤ６から構成される。光学分野で一般化している比視感度曲線は図８で示す通りであり、暗所での波長感度と明所での波長感度とが異なっており、人間の目の感度は、暗所においては５０７ｎｍの波長の光に感度のピークがあり、明所においては５５５ｎｍの波長の光に感度のピークがある。このようなことから、ＬＥＤ組１４Ａ，１４Ｂ，１４ＣのＬＥＤ６の一種は、暗所での比視感度曲線のピークあたりとなる波長の光を発光するＬＥＤが選定され、このＬＥＤ６として緑色発光波長（例えば、約５２０〜５３０ｎｍの範囲であって、例えば５２５ｎｍの記号イで示す波長））のものが用いられる。
【００２９】
ＬＥＤランプ２として緑色発光波長のもののみを用いると、単波長の光の照明となるために見え方に偏りが生じ、このような偏りを解消するために、ＬＥＤ組１４Ａ，１４Ｂ，１４ＣのＬＥＤ６の他の一種は、緑色発光波長を補色するための黄色発光波長（例えば、５８５〜５９５ｎｍの範囲であって、例えば５９０ｎｍの記号ロで示す波長）のものが用いられる。このように緑色発光波長のものと黄色発光波長のものを組み合わせて用いることによって、見え方の偏りを解消しながら暗所での比視感度を高めることができ、これによって、ＬＥＤランプ２の光の利用効率を高め、更なる省電力化が可能となる。
【００３０】
このようなＬＥＤランプ２のＬＥＤ組１４Ａ，１４Ｂ，１４Ｃの配置及び構成は、例えば図４（ａ）〜（ｄ）に示すように構成される。尚、図４（ａ）〜（ｄ）において、黒色で示したＬＥＤ６ａは緑色発光波長のものを示し、白色で示したはＬＥＤ６ｂは黄色発光波長のものを示す。
【００３１】
図４（ａ）に示す形態においては、ＬＥＤ組１４Ａ，１４Ｂ，１４ＣがＬＥＤ基板１２の一端部から他端部に向けて（図４（ａ）において左から右に向けて）この順に配設され、各ＬＥＤ組１４Ａ，１４Ｂ，１４Ｃは、一つの緑色発光波長のＬＥＤ６ａと、一つの黄色発光波長のＬＥＤ６ｂとから構成されている。かく構成することによって、ＬＥＤランプ２の緑色発光成分と黄色発光成分とをほぼ同じにすることができる。
【００３２】
図４（ｂ）に示す形態においては、ＬＥＤ組１４Ａ，１４Ｂ，１４ＣがＬＥＤ基板１２の一端部から他端部に向けて（図４（ｂ）において左から右に向けて）この順に配設され、各ＬＥＤ組１４Ａ，１４Ｂ，１４Ｃは、二つの緑色発光波長のＬＥＤ６ａと、一つの黄色発光波長のＬＥＤ６ｂとから構成されている。かく構成することによって、ＬＥＤランプ２の緑色発光成分を強くすることができる。
【００３３】
図４（ｃ）に示す形態においては、ＬＥＤ組１４Ａ，１４Ｂ，１４ＣがＬＥＤ基板１２の一端部から他端部に向けて（図４（ｃ）において左から右に向けて）この順に配設され、各ＬＥＤ組１４Ａ，１４Ｂ，１４Ｃは、一つの緑色発光波長のＬＥＤ６ａと、二つの黄色発光波長のＬＥＤ６ｂとから構成されている。かく構成することによって、ＬＥＤランプ２の黄色発光成分を強くすることができる。
【００３４】
また、図４（ｄ）に示す形態においては、ＬＥＤ組１４Ａ，１４Ｂ，１４Ｃは、一対のＬＥＤ組１４Ａの間にＬＥＤ組１４Ｂ，１４Ｄが交互に配置されるように配設され、各ＬＥＤ組１４Ａ，１４Ｂ，１４Ｃは、一つの緑色発光波長のＬＥＤ６ａと、一つの黄色発光波長のＬＥＤ６ｂとから構成されている。
【００３５】
上述したＬＥＤランプ２を用いることによって、植物に対する悪影響を少なくすることができる。その一つ目は、照明角度（配光角度）を調整することが可能な構造による。即ち、上述した説明から理解される如く、ＬＥＤ組１４ＡのＬＥＤ６はリード端子をまっすぐにすることによって光軸が第１の方向に延び、ＬＥＤ組１４ＢのＬＥＤ６はリード端子を所定方向に曲げることによって光軸が第２の方向に延び、ＬＥＤ組１４ＣのＬＥＤ６はリード端子を所定方向と反対方向に曲げることによって光軸が第３の方向に延び、ＬＥＤ組１４Ｂ，１４ＣのＬＥＤ６のリード端子の曲げ度合いを変えることによって、ＬＥＤランプ２の照明角度（配光角度）を変更して照明領域を調整することができ、無駄な光漏れなどを防止することができる。
【００３６】
その二つ目は、ＬＥＤランプ２からの照明光が植物の光合成にあまり寄与しないということによる。一般的に、植物のクロロフィルの吸収スペクトルは図９に示す示す通りであり、４３０〜４６０ｎｍの青色波長と６５０〜６６０の赤色波長とにピークが存在し、これらの波長は光合成に有効に作用し、植物の光形態形成に大きく寄与するが、緑色波長（例えば、約５２０〜５３０ｎｍ）及び黄色波長（例えば、５８５〜５９５ｎｍ）は吸収スペクトルが低く、これらの波長は光合成にほとんど作用せず、植物の光形態形成にほとんど寄与しないということである。植物の光形態形成とは、種子発芽、花芽分化、開花、予葉の展開、葉緑素合成、節間伸張などの質的な変化を指し、この光形態形成には青色波長及び赤色波長の光成分の光が有効であることが研究されており、緑色波長及び黄色波長の光成分を利用することによりこの光形態形成にほとんど寄与せず、植物の生理に対する影響を少なくすることが期待できる。
【００３７】
図１〜図３に示すＬＥＤランプ２に代えて、例えば図５（ａ）及び（ｂ）に示すように構成することもできる。図５（ａ）に示すＬＥＤランプ２Ａにおいては、複数のＬＥＤ６は、上述したと同様に、３組のＬＥＤ組１４Ａ，１４Ｂ，１４Ｃから構成されているが、ＬＥＤ組１４Ｂ，１４ＣのＬＥＤ６の光軸をＬＥＤ組１４ＡのＬＥＤ６の光軸側に近づけ、ＬＥＤ組１４ＢのＬＥＤ６の光軸の第２の方向を上記第１の方向対して所定方向側に約３０度傾斜させ、ＬＥＤ組１４ＣのＬＥＤ６の光軸の第３方向を上記第１の方向に対して所定方向と反対側に約３０度傾斜させている。このようなＬＥＤランプ２Ａにおいては、その照明角度（配光角度）が約１２０度と狭くなり、ＬＥＤランプ２Ａからの照明光の拡がりを抑えることができる。
【００３８】
また、図５（ｂ）に示すＬＥＤランプ２Ｂにおいては、複数のＬＥＤ６は、２組のＬＥＤ１４Ａ，１４Ｃから構成され、ＬＥＤ組１４ＡのＬＥＤ６の光軸は所定方向（図５（ｂ）において右側）に約１０度傾斜する第１の方向に延び、他のＬＥＤ組１４ＢのＬＥＤ６の光軸は上記所定方向に約５０度傾斜する第２の方向に延び、ＬＥＤランプ２Ｂの照明角度（配光角度）は約１１０度と狭くなるとともに、その配光を上記所定側に幾分片寄せることができる。
【００３９】
このようにＬＥＤ組１４Ａ，１４Ｂ，１４ＢのＬＥＤの光軸を変えることによって、照明方向及び照明角度を調整することができる。尚、図１〜図３に実施形態におけるＬＥＤランプ２の例えばＬＥＤ組１４Ｃ（又は１４Ｂ）を省略し、ＬＥＤ組１４Ａ，１４Ｂ（又は１４Ａ，１４Ｃ）によりＬＥＤランプ２を構成するようにしてもよい。
【００４０】
次に、図６及び図７を参照して、ＬＥＤランプの他の実施形態について説明する。図６は、他の実施形態のＬＥＤランプを示す断面図であり、図７は、図６におけるＢ−Ｂ線による断面図である。
【００４１】
この変形形態のＬＥＤランプ２Ｃにおいては、ランプ基板２０と透明なランプカバー２２によってランプ本体２４が構成され、かかるランプ本体２４が例えば照明装置本体（図示せず）に取り付けられる。このＬＥＤランプ２Ｃにおいても、内部にＬＥＤ基板１２が装着され、かかるＬＥＤ基板１２に複数のＬＥＤ６が取り付けられるとともに、ＬＥＤ６を点灯するための電流制御用回路１３が取り付けられる。
【００４２】
この形態では、４つのＬＥＤ６を一組とし、これら１組のＬＥＤ組２６が一つの列を構成し、かかるＬＥＤ６の列がＬＥＤ基板１２の長手方向（図６において左右方向、図７において紙面に垂直な方向）に間隔をおいて複数設けられている。ＬＥＤ組２６は同一の構成でよく、例えば緑色発光波長のものと黄色発光波長のものの組合せから構成され、その他の発光波長のものを一部含んでいてもよい。この形態では、各ＬＥＤ組２６において、外側の一対のＬＥＤ６の光軸は第１の方向（ＬＥＤランプ２Ｃの取付状態において垂直な方向）に延び、内側の一対のＬＥＤ６の光軸は第２の方向（上記第１の方向に対して外側に約４５度傾斜する方向）に延びている。
【００４３】
このような構成のＬＥＤランプ２Ｃにおいては、ＬＥＤ基板１２の幅方向に４つのＬＥＤ６が配設されているので、ＬＥＤランプ２Ｃの照射光は上記幅方向に大きくなり、この幅方向に広く照明することができる。
【００４４】
上述した実施形態では、いずれも、防犯灯用、街路灯用などのランプとして用いる例について説明したが、このようなＬＥＤランプを植物育成用の光源ランプとし用いる場合、次のように構成するのが好ましい。図９に示す植物のクロロフィルの吸収スペクトルを参照して説明したように、その吸収スペクトルは、４３０〜４６０ｎｍの青色波長と６５０〜６６０の赤色波長とにピークが存在し、これらの波長は光合成に有効に作用し、植物の光形態形成に大きく寄与する。従って、ＬＥＤ６として４００〜４９０ｎｍの範囲の発光波長、例えば４７０ｎｍの青色発光波長（図９に記号ニで示す波長）を有するものと、６１０〜６８０ｎｍの範囲の発光波長、例えば６６０ｎｍの赤色発光波長（図９に記号ハで示す波長）を有するものを用いるのが好ましい。これらの発光波長のＬＥＤ６は、例えば、図１及び図２に示すように、また図４（ａ）〜（ｄ）に示すように、或いは図５（ａ）及び（ｂ）に示すように、更には図６及び図７に示すように配設することができる。このようなＬＥＤランプは植物の電照栽培に、例えば電照菊栽培に用いることができ、人工的に光を当てて日照時間を擬似的に長くすることによって出荷時期を遅らせることが可能となり、白熱ランプ、蛍光灯ランプを用いる場合に比して消費電力を少なく抑えることができる。
【００４５】
尚、植物の育成に影響が少ないように照明する、例えば夜間の手入れ、出荷の準備などのときには、５００〜６００ｎｍの波長で発光するＬＥＤを用いるのが好ましい。点灯させることによって植物に悪影響を及ぼすことなくこれらの作業を行って出荷の調整などを行うことができる。
【００４６】
植物の栽培には、植物の育成に有効である発光波長（代表的には、青色発光波長及び／又は赤色発光波長）の第１ＬＥＤと、植物の発育に有効でない発光波長（代表的には、緑色発光波長及び／又は黄色発光波長）の第２ＬＥＤとを組み合わせて用いるようにしてもよい。この場合、電照栽培を行って出荷時期の調整を図るときには第１ＬＥＤを点灯し、夜間の手入れ、出荷の準備などを行うときには第２ＬＥＤを点灯すればよく、第１及び第２ＬＥＤをこのように点灯制御することによって、植物の所望の栽培を行うことが可能となる。
【００４７】
植物育成用のＬＥＤランプは、例えば、図１０に示すように用いられる。例えば、育成箱３２の両端部には、この育成箱３２が漏れないように、内側に光を集光させるようにＬＥＤ６の光軸を片側に傾けたＬＥＤランプ２Ｂ（例えば、図５（ｂ）に示すもの）が用いられ、また、育成箱３２の中間部には、両側に拡がりがあるＬＥＤランプ２（例えば図１及び図２に示すもの）が用いられ、これらのＬＥＤランプ２，２Ｂを用いることによって植物苗３２の育成効率を高めることができる。
【００４８】
外照看板、壁面３３などを照明する場合には、図１１に示すようにＬＥＤランプが用いられる。図１１において、この場合には、ＬＥＤ６の光軸と片側にのみ傾けたＬＥＤランプ２Ｂ（例えば、図５（６）に示すもの）を用いるのが有効である。この場合、使用するＬＥＤの発光波長は演色性の良いものが求められるため、白色ＬＥＤを使用することになるが、一般の白色ＬＥＤは青みのある波長であることが多いため黄色ＬＥＤを混合することによって、暖かみのある発光色が得られることになる。看板などでは狭い範囲を照射するため白熱灯のスポットライトが多く使われているが、消費電力が大きいことと、寿命が短いため高所でのランプ交換費用が高くなることなどの理由で、消費電力が少なくランプ寿命の長いＬＥＤに交換する利点は大きくなる。
【００４９】
このようなＬＥＤランプ２（２Ａ，２Ｂ）は、既存の蛍光灯ランプに代えて用いられるために、安定器を介して点灯することになるが、その点灯回路の例を図１２を参照して説明する。図１２において、蛍光灯器具３４では、電源３６に対して直列に安定器３８が接続されていて、蛍光ランプのフィラメントを介して点灯管４０が接続されている。直管型ＬＥＤランプ２（２Ａ，２Ｂ）では、蛍光灯器具３４から点灯管４０を取り外して、蛍光灯ランプの代わりにＬＥＤランプ２（２Ａ，２Ｂ）が取り付けられる。ＬＥＤランプ２（２Ａ，２Ｂ）では、電流制限用にコンデンサー４２を設け、ブリッジダイオード４４により直流電源に変えて突入電流防止用の抵抗４６を介して直列接続したＬＥＤ６に接続する。このＬＥＤランプ２（２Ａ，２Ｂ）は安定器を介せずに直接交流電源に接続できるようになっているが、既存の蛍光灯器具に蛍光灯ランプに変えて取り付けることもできる。直管型ＬＥＤランプ２（２Ａ，２Ｂ）の点灯回路ではコンデンサー４２により進相型力率になっているが、蛍光灯互換として使用する場合には安定器３８が遅相として動作するため、力率が改善され、発光効率も改善される。蛍光灯ランプでの回路電流に比べて、ＬＥＤランプ２（２Ａ，２Ｂ）による回路電流は少ないので、安定器３８による損失は僅かな値になる。
【００５０】
以上、本発明に従うＬＥＤランプの実施形態について説明したが、本発明はこれら実施形態に限定されるものではなく、本発明の範囲を逸脱することなく種々の変形乃至修正が可能である。
【図面の簡単な説明】
【００５１】
【図１】一実施形態のＬＥＤランプを示す正面図。
【図２】図１におけるＡ−Ａ線による断面図。
【図３】図１のＬＥＤランプの光配光曲線を示す図。
【図４】ＬＥＤランプにおけるＬＥＤの配置形態を簡略的に示す図。
【図５】ＬＥＤランプのＬＥＤの配置例を示す断面図。
【図６】他の実施形態のＬＥＤランプを示す断面図。
【図７】図６におけるＢ−Ｂ線による断面図。
【図８】人間の目の比視感度曲線を示す図。
【図９】植物のクロロフィルの吸収スペクトルを示す図。
【図１０】ＬＥＤランプを植物の栽培に用いた例を示す図。
【図１１】ＬＥＤランプを壁面の照明に用いた例を示す図。
【図１２】ＬＥＤランプの点灯回路の一例を示す回路図。
【符号の説明】
【００５２】
２，２Ａ，２Ｂ，２Ｃ  ＬＥＤランプ
４，２４  ランプ本体
６  ＬＥＤ（発光ダイオード）
１２  ＬＥＤ基板
１４Ａ，１４Ｂ，１４Ｃ，２６  ＬＥＤ組
【図１】
2008311188.tif 000003
【図２】
2008311188.tif 000004
【図３】
2008311188.tif 000005
【図４】
2008311188.tif 000006
【図５】
2008311188.tif 000007
【図６】
2008311188.tif 000008
【図７】
2008311188.tif 000009
【図８】
2008311188.tif 000010
【図９】
2008311188.tif 000011
【図１０】
2008311188.tif 000012
【図１１】
2008311188.tif 000013
【図１２】
2008311188.tif 000014